(57)【要約】【課題】            現在の遊技場にあっては、各島ごと、列ごとあるいはフロアごとや店全体における大当たりの回数が遊技者や店員にとって把握することができないという点であり、遊技台を選択する際に、どの機種で遊ぶかという要素に加え、目安の一つとすることができなかったという点である。【解決手段】        複数台の大当たりの累積回数表示システムは、複数の遊技台の大当たりの累積回数を表示することができる複数桁の表示部を店内において目視可能に設置してあることとし、前記した表示部は赤色ＬＥＤを用いてあることとする。【選択図】          図１
2010207429.tif 000002
【特許請求の範囲】
【請求項１】
複数の遊技台の大当たりの累積回数を表示することができる複数桁の表示部を店内において目視可能に設置してあることを特徴とする複数台の大当たりの累積回数表示システム。
【請求項２】
前記した表示部は赤色ＬＥＤを用いてあることを特徴とする請求項１に記載の複数台の大当たりの累積回数表示システム。
【請求項３】
前記した表示部は矩形ボックス体の一面に設けられ、各島の上面で呼び出し灯の近傍に配置され、各島ごとの遊技台もしくは島を構成する各列ごとの遊技台における大当たり回数をカウントアップして表示することを特徴とする請求項１または請求項２に記載の複数台の大当たりの累積回数表示システム。
【請求項４】
前記した表示部は矩形ボックス体の一面に設けられ、天井に配置されるものとし、店内全体もしくは各フロアごとの全体の遊技台における大当たり回数をカウントアップして表示することを特徴とする請求項１または請求項２に記載の複数台の大当たりの累積回数表示システム。
【発明の詳細な説明】
【技術分野】
【０００１】
本発明はパチンコ、スロットマシンあるいはパチスロ等の遊技店にあって、複数設置されている遊技台の各々が発生した大当たりの回数を累積表示することができる、複数台の大当たりの累積回数表示システムに関する。
【背景技術】
【０００２】
パチンコを例にとってみると、現在のパチンコ機には大当たり（フィーバー）の機能が付設されており、この状態となると、役物のチャッカーが一定時間継続してオープンとなり、大量パチンコ玉が入賞となって、それに比例して出玉を獲得することができる。
【０００３】
この大当たり状態は、個々のパチンコ台にあって表示され、その大当たりの回数も各個々のパチンコ台及び管理室にあるパソコンによって確認することができる。
【０００４】
また、遊技台は、複数台のパチンコ台を横方向に並列し、これを背中合わせとして島を構成している。前記した各台における大当たりは、各島の端部上面にある呼び出し灯（表示灯、代表灯）を、各台に付設されたスイッチを入力させ、点灯させることで店員にも確認できるが、その島全体、もしくは列全体、及び店内全体、各フロア全体における大当たりの回数は遊技者及び店員には把握することはできなかった。
【先行技術文献】
【特許文献】
【０００５】
【特許文献１】特開２００５−２３７７６７号公報
【特許文献２】特開２００５−１４３８１０号公報
【特許文献３】特開平６−３１９８５６号公報
【特許文献４】特開平６−２９６７２６号公報
【特許文献５】実開平６−４８７６６号公報
【発明の概要】
【発明が解決しようとする課題】
【０００６】
本発明が解決しようとする問題点は、現在の遊技場にあっては、各島ごと、列ごとあるいはフロアごとや店全体における大当たりの回数が遊技者や店員にとって把握することができないという点であり、遊技台を選択する際に、どの機種で遊ぶかという要素に加え、目安の一つとすることができなかったという点である。
【課題を解決するための手段】
【０００７】
上記した問題点を解決するために、本発明に係る複数台の大当たりの累積回数表示システムは、複数の遊技台の大当たりの累積回数を表示することができる複数桁の表示部を店内において目視可能に設置してあることを特徴とし、前記した表示部は赤色ＬＥＤを用いてあることを特徴としている。
【０００８】
また、本発明に係る複数台の大当たりの累積回数表示システムは、前記した表示部は矩形ボックス体の一面に設けられ、各島の上面で呼び出し灯の近傍に配置され、各島ごとの遊技台もしくは島を構成する各列ごとの遊技台における大当たり回数をカウントアップして表示することを特徴としている。
【０００９】
さらに、本発明に係る複数台の大当たりの累積回数表示システムは、前記した表示部は矩形ボックス体の一面に設けられ、天井に配置されるものとし、店内全体もしくは各フロアごとの全体の遊技台における大当たり回数をカウントアップして表示することを特徴としている。
【発明の効果】
【００１０】
本発明は上記のように構成されている。そのため、遊技者、店員にとって、どの島における遊技台が大当たりの回数が多いか、一見して把握することができ、遊技者にとっては台を選択する際の一つの目安とすることができる。また、店側にとっても、この大当たりの確率が特定の島や列に片寄ることがないよう調整することも可能となる。
【図面の簡単な説明】
【００１１】
【図１】本発明を実施するための島の上端に設置される表示器を示す斜視図である。
【図２】取付金具を示す図である。
【図３】表示基板を示す正面図である。
【図４】７セグメント表示器を示す図である。
【図５】入力端子側の回路図である。
【図６】出力端子側の回路図である。
【図７】不正入力があった場合の表示を示す図である。
【図８】店全体もしくはフロア全体のトータル回数を表示する表示器を示す斜視図である。
【図９】表示基板を示す正面図である。
【図１０】７セグメント表示器を示す図である。
【図１１】入力端子側の回路図である。
【図１２】出力端子側の回路図である。
【発明を実施するための形態】
【００１２】
図面として示し、実施例で説明したように構成したことで実現した。
【実施例１】
【００１３】
次に、本発明の好ましい実施の例を図面を参照して説明する。図１乃至図７は島の上端に設置される第一実施例を示しており、これらの図にあって１は大当たりの累積回数の表示器を示している。この表示器１は矩形のボックス部２を有しており、このボックス部２内には電子部品を搭載した回路基板が収容されている。
【００１４】
また、このボックス部２はＳＰＣＣ鋼板で成形され、黒色半艶焼付け塗装がなされ、幅が３３０ｍｍ程度、高さは１０８ｍｍ程度、奥行は５０ｍｍ程度が想定され、前面には厚さ２ｍｍ程度をした片面マットスモークグレーアクリルが取り付けられている。
【００１５】
ボックス部２の前面には本実施例の場合、７セグメント赤色ＬＥＤの基板３、３‥を四枚並設した表示基板４を取り付けてあり、ボックス部２内にある回路のカウンター機能で初期の０から順次カウントアップして表示していくこととなる。この表示基板４は幅を２６０ｍｍ、高さを１０５ｍｍ程度とし、７セグメントの表示器３は幅を６５ｍｍ、高さを８５〜８６ｍｍ程度としている。
【００１６】
さらに、この表示部基板４の一部にはスピーカ５が組み付けられている。このスピーカ５からは二種類の警告音が出力される。この警告音はサウンドを録音できるＩＣを使用してマイク端子より録音でき、最大録音時間は３０秒程度とする。この警告音は通常、島に取り付けられた代表ランプ（呼び出し灯）から接点信号が入力されるとカウント、点滅をして第一音を出力し、同時に７セグメントの表示器３用のカウント信号を出す。不正入力に信号が入力されると第二音を出力して後述する警告表示がなされる。尚、この音量は８０ｄｂ以上を想定し、店内の騒音にかき消されないように図っている。
【００１７】
上記警告音の出力は２Ｗ以上で、基板にボリュームを取り付けて、音量の調整がなされる。
【００１８】
また、前記した表示器１は取付金具６を介して固定据付けされる。この取付金具６は両端が同方向に直角に屈折されたコ字状の形態をしており、図２のＢ、Ｃ、Ｄの取付図のように、ボックス部２の両側面を屈折部分で支持して、任意の場所へ固定可能としている。
【００１９】
さらに、前記ボックス部２の背面上部からケーブル７は引き出され、信号の出入力がなされる。このケーブル７の先端にはコネクタが付けられ、他のパートと電気的に接続がなされる。
【００２０】
前記した７セグメント表示器３には輝度の優れた赤色ＬＥＤを使用し、鮮明で広角度から目視可能としてあるが、これはさらに高輝度タイプのものを選定して使用することもできる。
【００２１】
前記したボックス部２の一方側面には手動のカウントボタン（スイッチ）８が設けられている。このカウントボタン８が１０ｍＳ以上押し続けられた時に、１つづつカウントがなされ、これと同じタイミングで後述する出力端子がＯＮとなる。この場合、警告音は発せず、点滅も行なわれない。尚、表示のリセットは電源をＯＦＦとすることで数値を初期の０とする。
【００２２】
電源としてはＤＣ１５Ｖ、電流は１．５Ａ以下で動作し、ＡＣアダプタより供給することがきる。入力端子は無電圧入力で入力端子がハイからロウとなる時に動作する。出力端子は入力端子がロウとなった時に同時にロウとなるもので、マックスで１００ｍＡとなる。
【００２３】
カウントは入力端子が、ロウが１０ｍＳ以上入力した時に、１つづつカウントする。これと同じタイミングで出力端子がＯＮとなり、この時の表示が３回点滅して前記した第一音である警告音が出力される。
【００２４】
不正入力端子が、ロウが１０ｍＳ以上入力した時は図７に示すような表示が１０回点滅し、この時に前記した第二音となる警告音が出力される。
【実施例２】
【００２５】
一方、図８乃至図１２として示すのは、本願発明の第二実施例であり、店全体もしくはフロア全体における大当たりの累積回数を表示するものである。尚、第一実施例と構成を同じくする部位には共通の符号を付して詳しい説明は省略する。
【００２６】
この図８乃至図１２にあって１０はトータル表示器を示しており、第一実施例における表示器１と比してサイズを大きくし、幅を５４８ｍｍ程度、高さを１６３ｍｍ程度とし、奥行は第一実施例と同様の５０ｍｍ程度としている。このサイズに合せて、表示基板４ａも幅を５２５ｍｍ程度と大きくし、７セグメント表示器３ａ、３ａ‥も幅を１０５ｍｍ程度、高さを１４０ｍｍ〜１６０ｍｍ程度と大きくし、遠距離からでも目視確認を容易としている。
【００２７】
このトータル表示器１０にあっては音声出力のためのスピーカは不要となり、ボックス部２の天面上中央に取り付け固定のための円筒状の支柱１１が設けられている。この支柱１１の上下開口縁には各々矩形をしたフランジ１２ａ、１２ｂが設けられ、下部フランジ１２ｂにネジ等の締結具１３、１３‥を用いてボックス部２の天面に固着され、上部フランジ１２ａにやはりネジ等の締結具１３、１３‥を用いて天井面に固定し、トータル表示器１０全体を吊持させることとなり、店内のいずれの場所からも視覚で確認できるものとしている。
【００２８】
前記した支柱１１内を通して、ボックス部２内にＤＣ１５Ｖ入力用、カウント出力用、カウント入力用の３本の配線（ケーブル）１４ａ、１４ｂ、１４ｃが導入される。この３本の配線（ケーブル）１４ａ、１４ｂ、１４ｃは天井裏もしくは天井面に沿って配置され、前記した島用の表示器１、１‥と接続され、その表示器１、１‥からの信号を受け、トータル数を表示することとなる。尚、このトータル表示器１０には手動のカウントボタンはなく、電源をＯＦＦとすることで０にリセットされる。出力端子、入力端子の作用は表示器１と同様となる。
【００２９】
尚、このトータル表示器１０を各フロアごとのトータル表示として使用する場合、このトータル表示器１０から信号を送って、さらに店全体のトータル回数を表示する表示器を設定することも勿論可能である。
【産業上の利用可能性】
【００３０】
本発明に係る複数台の大当たりの累積回数表示システムは上記のように構成されている。実施例ではパチンコを対象として述べているが、これはスロットマシンやパチスロ、その他の遊技媒体を伴なうゲーム機等の店舗にも応用実施することができる。
【００３１】
また、表示部として赤色ＬＥＤを使用しているが、これも必要に応じ、あるいは場合によって、他の表示媒体に代替することも可能である。ルミネッセンス等の電機、光学系のものに限らず、予め数字が書き込まれたパネル等を自動的に変えていく機構等も採用可能となる。
【００３２】
さらに、表示器１への表示は、必要に応じ、大当たり表示灯（呼び出し灯）への信号を利用して行なうことも可能である。
【符号の説明】
【００３３】
１    表示器
２    ボックス部
３    ７セグメント表示器
３ａ  ７セグメント表示器
４    表示基板
４ａ  表示基板
５    スピーカ
６    取付金具
７    ケーブル
８    手動カウントボタン
１０  トータル表示器
１１  支柱
１２ａ  上部フランジ
１２ｂ  下部フランジ
１３  ネジ
１４ａ  配線（ケーブル）
１４ｂ  配線（ケーブル）
１４ｃ  配線（ケーブル）
【図１】
2010207429.tif 000003
【図２】
2010207429.tif 000004
【図３】
2010207429.tif 000005
【図４】
2010207429.tif 000006
【図５】
2010207429.tif 000007
【図６】
2010207429.tif 000008
【図７】
2010207429.tif 000009
【図８】
2010207429.tif 000010
【図９】
2010207429.tif 000011
【図１０】
2010207429.tif 000012
【図１１】
2010207429.tif 000013
【図１２】
2010207429.tif 000014